(57)【要約】【課題】多重入力・多重出力（ＭＩＭＯ）システムでデータを送信する方法を提供する。【解決手段】プリアンブルを送信するために、少なくとも一つの特定基準を満たすか否かによって１次アンテナを選択する段階と、１次アンテナを通じてプリアンブルを送信する段階と、を含む。本発明は、多重入力・多重出力（Ｍｕｌｔｉ  ｉｎｐｕｔ、ｍｕｌｔｉ  ｏｕｔｐｕｔ；ＭＩＭＯ）システムでデータを送信する方法を提供し、この方法は、プリアンブルを送信するために少なくとも一つの指定された基準を満たすか否かによって１次アンテナ（ｐｒｉｍａｒｙ  ａｎｔｅｎｎａ）を選択する段階と、前記１次アンテナを通じて前記プリアンブルを送信する段階と、を含む。【選択図】図１５
2009533892.tif 000002
【特許請求の範囲】
【請求項１】
多重入力・多重出力（Ｍｕｌｔｉ  ｉｎｐｕｔ、ｍｕｌｔｉ  ｏｕｔｐｕｔ；ＭＩＭＯ）システムでデータを送信する方法であって、
プリアンブルを送信するために少なくとも一つの指定された基準を満たすか否かによって１次アンテナ（ｐｒｉｍａｒｙ  ａｎｔｅｎｎａ）を選択する段階と、
前記１次アンテナを通じて前記プリアンブルを送信する段階と、
を含む、データを送信する方法。
【請求項２】
前記１次アンテナを通じてオーバーヘッド情報を送信する段階をさらに含むことを特徴とする、請求項１に記載のデータを送信する方法。
【請求項３】
前記オーバーヘッド情報が、パイロット及び媒体接続制御（Ｍｅｄｉｕｍ  ａｃｃｅｓｓ  ｃｏｎｔｒｏｌ；ＭＡＣ）を含むことを特徴とする、請求項１に記載のデータを送信する方法。
【請求項４】
前記データが、コード分割多重化（ｃｏｄｅ  ｄｉｖｉｓｉｏｎ  ｍｕｌｔｉｐｌｅｘ；ＣＤＭ）データ及び直交周波数分割多重化（ｏｒｔｈｏｇｏｎａｌ  ｆｒｅｑｕｅｎｃｙ  ｄｉｖｉｓｉｏｎ  ｍｕｌｔｉｐｌｅｘ；ＯＦＤＭ）データのうち少なくとも一つであることを特徴とする、請求項１に記載のデータを送信する方法。
【請求項５】
前記少なくとも一つの指定された基準が、可用送信アンテナのうち、最善のチャネル条件または最小インデックスを持つアンテナを含むことを特徴とする、請求項１に記載のデータを送信する方法。
【請求項６】
前記プリアンブルが、使用者ＩＤ、チャネル形態、媒体接続制御（ＭＡＣ）及びパイロットのうち少なくとも一つを含むことを特徴とする、請求項１に記載のデータを送信する方法。
【請求項７】
前記プリアンブルが、基本送信ユニットの始部（ｆｉｒｓｔ  ｐｏｒｔｉｏｎ）を用いて送信されることを特徴とする、請求項１に記載のデータを送信する方法。
【請求項８】
前記基本送信ユニットが、１．６６７ｍｓの期間を持つスロットであることを特徴とする、請求項７に記載のデータを送信する方法。
【請求項９】
前記始部が、４００チップの期間を持つ１／４−スロットであることを特徴とする、請求項７に記載のデータを送信する方法。
【請求項１０】
前記１／４−スロットが、コード分割多重化（ＣＤＭ）プリアンブル、直交周波数分割多重化（ＯＦＤＭ）プリアンブル、ＣＤＭデータ及びＯＦＤＭデータのうち少なくとも一つを含むことを特徴とする、請求項９に記載のデータを送信する方法。
【請求項１１】
前記１次アンテナが、直交周波数分割多重化（ＯＦＤＭ）データを送信するのに使われることを特徴とする、請求項１に記載のデータを送信する方法。
【請求項１２】
前記１次アンテナが、前記プリアンブルを再送信するのに使われることを特徴とする、請求項１に記載のデータを送信する方法。
【請求項１３】
前記１次アンテナとして選択されなかった複数のアンテナのうち、１つのアンテナを２次アンテナ（ｓｅｃｏｎｄ  ａｎｔｅｎｎａ）として選択する段階と、
前記２次アンテナを通じて前記データを送信する段階と、
をさらに含むことを特徴とする、請求項１に記載のデータを送信する方法。
【請求項１４】
前記データが、コード分割多重化（ＣＤＭ）データ及び直交周波数分割多重化（ＯＦＤＭ）データのうち少なくとも一つであることを特徴とする、請求項１３に記載のデータを送信する方法。
【請求項１５】
多重入力・多重出力（ＭＩＭＯ）システムにおいてデータを送信する方法であって、
少なくとも一つのプリアンブルを送信するために、複数の送信アンテナのうち、最善のチャネル条件または最小インデックスを持つアンテナに基づいて、前記複数の送信アンテナの中から１つのアンテナを１次アンテナとして選択する段階と、
前記１次アンテナを通じて前記プリアンブル及び前記データのうち少なくとも一つを送信する段階と、
を含む、データを送信する方法。
【請求項１６】
前記複数のアンテナの中から、前記１次アンテナと異なる２次アンテナを選択する段階と、
前記２次アンテナを通じて前記プリアンブル及び前記データのうち少なくとも一つを送信する段階と、
をさらに含むことを特徴とする、請求項１５に記載のデータを送信する方法。
【請求項１７】
前記１次アンテナを通じてオーバーヘッド情報を送信する段階をさらに含むことを特徴とする、請求項１５に記載のデータを送信する方法。
【請求項１８】
前記オーバーヘッド情報が、パイロット及び媒体接続制御（ＭＡＣ）を含むことを特徴とする、請求項１７に記載のデータを送信する方法。
【請求項１９】
前記プリアンブル及び前記データが帯域幅全体に割り当てられることを特徴とする、請求項１５に記載のデータを送信する方法。
【請求項２０】
多重入力・多重出力（ＭＩＭＯ）システムにおいてデータを送信する方法であって、
少なくとも一つのプリアンブルを送信するために、複数の送信アンテナのうち、最善のチャネル条件または最小インデックスを持つアンテナに基づいて、前記複数の送信アンテナの中から一つのアンテナを１次アンテナとして選択する段階と、
前記１次アンテナを通じて前記プリアンブル及び前記データのうち少なくとも一つを送信する段階と、
を含む、データを送信する方法。
【請求項２１】
前記複数のアンテナの中から前記１次アンテナと異なる少なくとも一つの２次アンテナを選択する段階と、
前記少なくとも一つの２次アンテナを通じて前記プリアンブル及び前記データのうち少なくとも一つを送信する段階と、
をさらに含むことを特徴とする、請求項２０に記載のデータを送信する方法。
【発明の詳細な説明】
【技術分野】
【０００１】
本発明は、オーバーヘッドを減らす方法に係り、より詳細には、多重入力・多重出力（ｍｕｌｔｉ−ｉｎｐｕｔ，ｍｕｌｔｉ−ｏｕｔｐｕｔ；ＭＩＭＯ）送信システムでオーバーヘッドを減らす方法に関する。
【背景技術】
【０００２】
セルラー通信業界で、当業者らは度々１Ｇ、２Ｇ、及び３Ｇという用語を使用する。これらの用語は、使用されるセルラー技術の世代を意味する。１Ｇは第１世代を、２Ｇは第２世代を、３Ｇは第３世代を指す。
【０００３】
１Ｇは、ＡＭＰＳ（Ａｄｖａｃｅｄ  Ｍｏｂｉｌｅ  Ｐｈｏｎｅ  Ｓｅｒｖｉｃｅ；改良された移動電話サービス）電話システムとして知られた、アナログ電話システムのことを指す。２Ｇは、全世界で広く使われており、ＣＤＭＡＯｎｅ、全地球的移動通信システム（Ｇｌｏｂａｌ  Ｓｙｓｔｅｍ  ｆｏｒ  Ｍｏｂｉｌｅ  ｃｏｍｍｎｉｃａｔｉｏｎｓ；ＧＳＭ）、及び時分割多重アクセス（Ｔｉｍｅ  Ｄｉｖｉｓｉｏｎ  Ｍｕｌｔｉｐｌｅ  Ａｃｃｅｓｓ；ＴＤＭＡ）を含むデジタルセルラーシステムのことを指す。２Ｇシステムは、１Ｇシステムに比べ、密集した地域でより多くの使用者を支援することができる。
【０００４】
３Ｇは、現在配置されつつあるデジタルセルラーシステムのことを指す。この３Ｇ通信システムは、いくつかの重要な特徴において概念的に互いに似ている。
【０００５】
無線通信システムでは、無線環境の厳しい条件下で情報速度を上昇させ、通信システムのロバスト性（ｒｏｂｕｓｔｎｅｓｓ）を改善する方式と技術を考案することが重要である。理想的でない通信条件との闘い及び／または通信の改善のために、不必要なデータの送信を減らすことを含む様々な方法が、より効率的で効果的な送信を促すとともに資源を回収するのに用いられることができる。
【発明の開示】
【発明が解決しようとする課題】
【０００６】
したがって、本発明は従来技術の限界及び欠点に起因した一つ以上の問題点を実質的に解消する多重入力・多重出力（ＭＩＭＯ）送信システムにおけるオーバーヘッド減少方法を教示する。
【０００７】
本発明の目的は、多重入力・多重出力（ＭＩＭＯ）システムにおけるデータ送信方法を提供することにある。
【０００８】
本発明の追加的な利点、目的及び特徴は、下記の詳細な説明から部分的に説明され、詳細な説明を検討することによって当業者に明らかになるか、本発明の実施からわかることができる。本発明の目的及び他の利点は、図面の他に、詳細な説明と特許請求の範囲で詳細に開示された構造によって実現され達成されることができる。
【０００９】
本明細書で具体化され広範囲に説明される本発明の意図によって、上記目的と他の利点を達成するために、多重入力・多重出力（ＭＩＭＯ）システムにおけるデータ送信方法は、プリアンブルを送信すべく、少なくとも一つの指定された基準を満たすか否かによって１次アンテナを選択する段階と、該１次アンテナ（ｐｒｉｍａｒｙ  ａｎｔｅｎｎａ）を通じてプリアンブルを送信する段階と、を含む。
【００１０】
本発明の他の実施例において、多重入力・多重出力（ＭＩＭＯ）システムにおけるデータ送信方法は、少なくとも一つのプリアンブルを送信すべく、複数の送信アンテナのうち、最善のチャネル条件または最小インデックスを持つアンテナに基づいて、複数の送信アンテナの中から一つのアンテナを１次アンテナとして選択する段階と、１次アンテナを通じてプリアンブル及びデータのうち少なくとも一つを送信する段階と、を含む。
【００１１】
本発明のさらに他の実施例において、多重入力・多重出力（ＭＩＭＯ）システムにおけるデータ送信方法は、少なくとも一つのプリアンブルを送信すべく、複数の送信アンテナのうち、最善のチャネル条件または最小インテックスを持つアンテナに基づいて、複数の送信アンテナの中から一つのアンテナを１次アンテナとして選択する段階と、１次アンテナを通じてプリアンブル及びデータのうち少なくとも一つを送信する段階と、を含む。
【００１２】
本発明の上述した一般的な説明と下の詳細な説明はいずれも本発明を例示及び説明するためのもので、特許請求の範囲に記載された発明をさらに説明するためのものとして提供される。
【発明を実施するための最良の形態】
【００１３】
以下、添付の図面に基づき、本発明の好適な実施の形態について詳細に説明する。図面中、同一の構成要素には可能な限り同一の参照符号を付する。
【００１４】
図１を参照すると、無線通信ネットワーク構造が示される。加入者は、ネットワークサービスにアクセスするために移動局（Ｍｏｂｉｌｅ  ｓｔａｔｉｏｎ；ＭＳ）２を使用する。ＭＳ  ２は、セルラーホンのように持ち歩ける携帯用通信端末、車両に設置された通信端末、または、固定された地域の通信端末であり得る。
【００１５】
ＭＳ  ２への電磁気波が、ノードＢとも知られた基地局トランシーバーシステム（Ｂａｓｅ  Ｔｒａｎｃｅｉｖｅｒ  Ｓｙｓｔｅｍ；ＢＴＳ）３によって送信される。ＢＴＳ  ３は、アンテナ、及び電波を送受信する装備のような無線装置で構成される。ＢＳ  ６制御器（ＢＳＣ）４は、一つ以上のＢＴＳから送信を受信する。ＢＳＣ  ４は、ＢＴＳと無線スイッチングセンター（Ｍｏｂｉｌｅ  ｓｗｉｔｃｈｉｎｇ  ｃｅｎｔｅｒ；ＭＳＣ）５または内部ＩＰネットワークとメッセージを交換することによってそれぞれのＢＴＳ  ３からの無線送信を制御及び管理する。ＢＴＳ  ３及びＢＳＣ  ４はＢＳ  ６の構成要素である。
【００１６】
ＢＳ  ６は、回線交換コアネットワーク（ｃｉｒｃｕｉｔ  ｓｗｉｔｃｈｅｄ  ｃｏｒｅ  ｎｅｔｗｏｒｋ；ＣＳＣＮ）７及びパケット交換コアネットワーク（ｐａｃｋｅｔ  ｓｗｉｔｃｈｅｄ  ｃｏｒｅ  ｎｅｔｗｏｒｋ；ＰＳＣＮ）８とメッセージを交換し、ＣＳＣＮ  ７及びＰＳＣＮ  ８にデータを送信する。ＣＳＣＮ  ７は伝統的な音声通信を提供し、ＰＳＣＮ  ８はインターネットアプリケーション及びマルチメディアサービスを提供する。
【００１７】
ＣＳＣＮ  ７の部分であるＭＳＣ  ５は、ＭＳ  ２からの伝統的な音声通信及びＭＳ  ２への伝統的な音声通信にスイッチングを提供し、この機能を支援するように情報を保存しても良い。ＭＳＣ  ５は、一つ以上のＢＳ  ６だけでなく、例えば公衆交換電話網（Ｐｕｂｌｉｃ  Ｓｗｉｔｃｈｅｄ  Ｔｅｌｅｐｈｏｎｅ  Ｎｅｔｗｏｒｋ；ＰＳＴＮ）（図示せず）または総合デジタル通信網（Ｉｎｔｅｇｒａｔｅｄ  Ｓｅｒｖｉｃｅｓ  Ｄｉｇｉｔａｌ  ｎｅｔｗｏｒｋ；ＩＳＤＮ）（図示せず）のような他の公衆網（ｐｕｂｌｉｃ  ｎｅｔｗｏｒｋ）に連結されることができる。訪問者位置レジスタ（Ｖｉｓｉｔｏｒ  Ｌｏｃａｔｉｏｎ  Ｒｅｇｉｓｔｅｒ；ＶＬＲ）９は、訪問加入者へのまたは訪問加入者からの音声通信をハンドリングするように情報を検索するのに用いられる。ＶＬＲ  ９は、ＭＳＣ  ５内に構成されても良く、一つ以上のＭＳＣをサービングしてもよい。
【００１８】
使用者ＩＤ（ｕｓｅｒ  ｉｄｅｎｔｉｔｙ）は、加入者情報などを記録するためにＣＳＣＮ  ７のホーム位置レジスタ（Ｈｏｍｅ  Ｌｏｃａｔｉｏｎ  Ｒｅｇｉｓｔｅｒ；ＨＬＲ）に割り当てられる。ここで、加入者情報は、装置一連番号（Ｅｌｅｃｔｒｏｎｉｃ  Ｓｅｒｉａｌ  Ｎｕｍｂｅｒ：ＥＳＮ）、移動通信加入者番号（ＭＤＮ：Ｍｏｂｉｌｅ  Ｄｉｒｅｃｔｏｒｙ  Ｎｕｍｂｅｒ）、プロフィール情報、現在位置及び認証期間などを含む。認証センター（ＡＣ：Ａｕｔｈｅｎｔｉｃａｔｉｏｎ  Ｃｅｎｔｅｒ）１１は、ＭＳ  ２と関連した認証情報を管理する。ＡＣ  １１は、ＨＬＲ  １０内に位置しても良く、一つ以上のＨＬＲをサービングしても良い。ＭＳＣ  ５及びＨＬＲ  １０／ＡＣ  １１間のインターフェース（Ｉｎｔｅｒｆａｃｅ）は、ＩＳ−４１標準インターフェース１８である。
【００１９】
ＰＳＣＮ  ８の部分であるパケットデータサービングノード（ｐａｃｋｅｔ  ｄａｔａ  ｓｅｒｖｉｎｇ  ｎｏｄｅ；ＰＤＳＮ）１２は、ＭＳ  ２への及びＭＳ  ２からのパケットデータトラフィック用ルーティングを提供する。ＰＤＳＮ  １２は、ＭＳ  ２へのリンクレイヤーセッションを設定・維持・終結し、一つ以上のＢＳ  ６と一つ以上のＰＳＣＮ  ８間でインターフェーシングを行っても良い。
【００２０】
認証、権限検証及び課金（ａｕｔｈｅｎｔｉｃａｔｉｏｎ、ａｕｔｈｏｒｉｚａｔｉｏｎ  ａｎｄ  ａｃｃｏｕｎｔｉｎｇ；ＡＡＡ）サーバー１３は、パケットデータトラフィックと関連したインターネットプロトコル認証、権限検証及び課金機能を提供する。ホームエージェント（Ｈｏｍｅ  Ａｇｅｎｔ；ＨＡ）１４は、ＭＳ  ２のＩＰレジストレーションの認証を提供し、ＰＳＣＮ  ８の部分である外部エージェント（Ｆｏｒｅｉｇｎ  Ａｇｅｎｔ；ＦＡ）１５へ及びＦＡ  １５からパケットデータを再指定（ｒｅｄｉｒｅｃｔ）し、ＡＡＡ  １３から使用者に関するプロビジョニング情報を受信する。ＨＡ  １４もＰＤＳＮ  １２への保安通信を設定・維持・終結しても良く、動的ＩＰアドレスを割り当てても良い。ＰＤＳＮ  １２は、内部ＩＰネットワークを通じてＡＡＡ  １３、ＨＡ  １４、インターネット１６と通信する。
【００２１】
多重接続方式には様々なものがある。例えば、周波数分割多重接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）、時間分割多重接続（Ｔｉｍｅ  Ｄｉｖｉｓｉｏｎ  Ｍｕｌｔｉｐｌｅ  Ａｃｃｅｓｓ：ＴＤＭＡ）及びコード分割多重接続（Ｃｏｄｅ  Ｄｉｖｉｓｉｏｎ  Ｍｕｌｔｉｐｌｅ  Ａｃｃｅｓｓ：ＣＤＭＡ）がある。ＦＤＭＡでは、使用者通信は周波数、例えば、３０ＫＨｚチャネルを使用することによって周波数で分離される。ＴＤＭＡでは、使用者通信は、例えば６個のタイムスロットを持つ３０ＫＨｚチャネルを用いることによって時間及び周波数で区分される。ＣＤＭＡで、使用者通信はデジタルコードによって分離される。
【００２２】
ＣＤＭＡでは、例えば１．２５ＭＨｚのような同一スペクトラム上に存在する。それぞれの使用者は、固有のデジタルコード識別子を有し、デジタルコード識別子は干渉を防ぐべく使用者を分離する。
【００２３】
ＣＤＭＡ信号は、多数のチップを用いて単一ビットの情報を伝達する。各使用者は、必須的にコードチャネルである、固有のチップパターンを有する。ビットを復元するために、多数のチップが使用者の知られたチップパターンによって統合される。他の使用者のコードパターンは無作為に現れ、自己消滅（ｓｅｌｆ−ｃａｎｃｅｌｉｎｇ）方式で統合されることによって、使用者の固有のコードパターンによって作られたビットデコーディング決定を妨げない。
【００２４】
入力データは、高速拡散シーケンスと結合し、拡散データストリームとして送信される。受信機はオリジナルデータ（ｏｒｉｇｉｎａｌ  ｄａｔａ）を抽出するために同じ拡散シーケンスを用いる。図２Ａは、拡散及び逆拡散プロセスを示す。図２Ｂに示すように、多重拡散シーケンスは、固有（ｕｎｉｑｕｅ）でロバスト（ｒｏｂｕｓｔ）なチャネルを生成するように結合しても良い。
【００２５】
ウォルシュコードは、一類型の拡散シーケンスである。それぞれのウォルシュコードは６４チップ長を有し、他の全てのウォルシュコードと正確に直交する。ウォルシュコードは生成しやすく、ＲＯＭ（Ｒｅａｄ  Ｏｎｌｙ  Ｍｅｍｏｒｙ）に保存できる程度に充分に小さい。
【００２６】
ショートＰＮコードは、他の類型の拡散シーケンスである。ショートＰＮコードは、それぞれ３２７６８チップ長を有し、類似に生成されるが、１５ビットシフトレジスタ（ｓｈｉｆｔ  ｒｅｇｉｓｔｅｒ）で異なってタッピングされる二つのＰＮシーケンス（Ｉ及びＱ）で構成される。二つのＰＮシーケンスはＩ及びＱ相チャネル上で情報をスクランブルする。
【００２７】
ロングＰＮコードは、さらに他の種類の拡散シーケンスである。ロングＰＮコードは４２ビットレジスタで生成され、４０日より長いか略４×１０１３チップ長を持つ。このような長さから、ロングＰＮコードは端末機内のＲＯＭに保存されることができず、よって、チップバイチップ（ｃｈｉｐ  ｂｙ  ｃｈｉｐ）で生成される。
【００２８】
各ＭＳ  ２は、システムによってセッティングされた３２ビット及び１０ビットセットのロングＰＮコードＥＳＮを用いて計算された、公用ロングコードマスク、またはＰＮロングコード及び固有オフセットを用いて信号をコーディングする。公用ロングコードマスクは固有のシフトを生成する。個人用ロングコードマスクはプライバシーを改善するのに用いられても良い。６４チップだけの短い期間に統合されると、相異なるロングＰＮコードオフセットを有するＭＳ  ２は実際に直交して現れるはずである。
【００２９】
ＣＤＭＡ通信は、順方向チャネル及び逆方向チャネルを使用する。順方向チャネルは、ＢＴＳ  ３からＭＳ  ２への信号に用いられ、逆方向チャネルはＭＳからＢＴＳへの信号に用いられる。
【００３０】
一つの使用者が同時に多重チャネル形態を持つことができるように、順方向チャネルは、順方向チャネルに特定に割り当てられたウォルシュコード及びセクターの特定ＰＮオフセットを用いる。順方向チャネルは、ＣＤＭＡ  ＲＦ搬送周波数、セクターの固有ショートコードＰＮオフセット及び使用者の固有ウォルシュコードにより識別される。ＣＤＭＡ順方向チャネルは、パイロットチャネル、同期チャネル、呼出チャネル及びトラフィックチャネルを含む。
【００３１】
パイロットチャネルは、文字ストリームを含まず、その代わりにハンドオフ（ｈａｎｄｏｆｆ）の間に測定手段として及びシステム獲得に用いられるタイミングシーケンスを含む“構造的ビーコン（ｓｔｒｕｃｔｕｒａｌ  ｂｅａｃｏｎ）”である。パイロットチャネルは、ウォルシュコード０を使用する。
【００３２】
同期チャネルは、システム獲得中にＭＳ  ２により用いられるシステム識別データストリームとパラメータ情報とを搬送する。同期チャネルはウォルシュコード３２を使用する。
【００３３】
必要容量によって１〜７個の呼出チャネルが存在することができる。呼出チャネルは、呼出、システムパラメータ情報及び呼設定命令を搬送する。呼出チャネルはウォルシュコード１〜７を使用する。
【００３４】
トラフィックチャネルは、呼トラフィックを搬送するように個々の使用者に割り当てられる。トラフィックチャネルは、ノイズによって制限された全体容量を考慮し、残っているウォルシュコードを使用する。
【００３５】
逆方向チャネルは、ＭＳ  ２からＢＴＳ  ３への信号に用いられ、一つの使用者が同時に多重タイプのチャネルを送信できるようにＭＳに特定されたロングＰＮシーケンスのオフセット及びウォルシュコードを使用する。逆方向チャネルは、そのチャネルのＣＤＭＡ  ＲＦ搬送周波数及び個々のＭＳ  ２の固有のロングコードＰＮオフセットにより識別される。逆方向チャネルはトラフィックチャネル及びアクセスチャネルを含む。
【００３６】
個々の使用者はＢＴＳ  ３にトラフィックを送信すべく、実際呼（ｃａｌｌ）中にトラフィックチャネルを使用する。逆方向トラフィックチャネルは基本的に使用者特定（ｕｓｅｒ−ｓｐｅｃｉｆｉｃ）の公用または個人用ロングコードマスクであり、ＣＤＭＡ端末機の数だけの逆方向トラフィックチャネルが存在する。
【００３７】
まだ呼に参入していないＭＳ  ２は、レジストレーション要請、呼設定要請、呼出応答、命令応答及び他のシグナリング情報を送信するためにアクセスチャネルを使用する。アクセスチャネルは基本的に、ＢＴＳ  ３セクターに固有な公用ロングコードオフセットである。アクセスチャネル（各呼出チャネルは最大３２個のアクセスチャネルを有する）は、呼出チャネルと対となっている。
【００３８】
ＣＤＭＡ通信は多くの利点を提供する。その例には、可変速度ボコーディング及びマルチプレクシング、電力制御、レイク（ＲＡＫＥ）受信機使用及びソフトハンドオフなどが挙げられる。
【００３９】
ＣＤＭＡは、可変速度ボコーダを使用可能にすることによって、音声を圧縮し、ビット率を減少させ、容量を大きく増加させる。可変速度ボコーディングは、通話中には全体ビット率（ｆｕｌｌ  ｂｉｔ  ｒａｔｅ）を提供し、通話を止める時には低いデータ率を提供することによって、増加した容量と自然音を提供する。多重化は、音声、信号及び使用者２次データをＣＤＭＡフレームにミキシングされるようにする。
【００４０】
順方向電力制御を使用することによって、ＢＴＳ  ３は、各使用者の順方向基底帯域チップストリームの強度を持続して減少させる。特定ＭＳ  ２が順方向リンク上の誤りを経験する場合、より多くの電力が要求され、エネルギーの速い増幅が供給された後、エネルギーは再び減少する。
【００４１】
レイク受信機の使用は、ＭＳ  ２が毎フレームごとに３つのトラフィックコリレータ（ｃｏｒｒｅｌａｔｏｒ）、すなわち“レイクフィンガー（ＲＡＫＥ  ｆｉｎｇｅｒｓ）”の結合した出力を使用可能にする。各レイクフィンガーは、独立して特定ＰＮオフセット及びウォルシュコードを復旧できる。これらのフィンガーは、持続してパイロット信号をチェックする検索器（ｓｅａｒｃｈｅｒ）と共に、相異なるＢＴＳ  ３による遅延された多重経路反射を目標とする。
【００４２】
ＭＳ  ２は、ソフトハンドオフを行う。ＭＳ  ２は、持続して可用のパイロット信号をチェックし、現在観察しているパイロット信号に関してＢＴＳ  ３に報告する。ＢＴＳ  ３は最大６つのセクターまで割り当て、これによってＭＳ  ２は自分のフィンガーを割り当てる。全てのメッセージは黙音（ｍｕｔｉｎｇ）無しで共存挿入（ｄｉｍ−ａｎｄ−ｂｕｒｓｔ）によって送信される。通信リンクの各端は使用者に透明なハンドオフを提供するように、フレームバイフレーム（ｆｒａｍｅ  ｂｙ  ｆｒａｍｅ）方式で最善の構成を選択する。
【００４３】
ＣＤＭＡ２０００システムは、第３世代（３Ｇ）広帯域システムであって、インターネット及びイントラネットアクセス、マルチメディアアプリケーション、高速ビジネス処理及び遠隔測定（ｔｅｌｅｍｅｔｒｙ）のようなデータ能力を円滑にするＣＤＭＡ技術の改善されたサービスポテンシャルを使用する、拡散スペクトラム無線インターフェースシステムである。ＣＤＭＡ２０００は、他の３世代システムと同様に、ネットワーク経済と、限定された量の無線スペクトラム可用性の限界を克服するための無線転送設計に焦点が置かれている。
【００４４】
図３は、ＣＤＭＡ２０００無線ネックワーク用のデータリンクプロトコル構造階層２０を示す。データリンクプロトコル階層２０は、上位階層６０、リンク階層３０及び物理階層２１を含む。
【００４５】
上位階層６０は、データサービス副階層６１、音声サービス副階層６２及びシグナリングサービス副階層６３の３つの副階層を含む。データサービス６１は、移動通信最終使用者のための任意の形態のデータを提供し、ＩＰサービスのようなパケットデータアプリケーション、非同期ファックス及びＢ−ＩＳＤＮエミュレーション（ｅｍｕｌａｔｉｏｎ）サービスのような回線データアプリケーション及びＳＭＳを提供する。音声サービス６２は、ＰＳＴＮアクセス、移動通信間（Ｍｏｂｉｌｅ−ｔｏ−ｍｏｂｉｌｅ）音声サービス及びインターネット電話を含む。シグナリング６３は、移動通信駆動の全ての側面を制御する。
【００４６】
シグナリングサービス副階層６３は、ＭＳ  ２とＢＳ  ６間に交換される全てのメッセージを処理する。これらのメッセージは、呼設定及び解除、ハンドオフ、フィーチャ活性化（ｆｅａｔｕｒｅ  ａｃｔｉｖａｔｉｏｎ）、システム構成、登録及び認証のような機能を制御する。
【００４７】
リンク階層３０は、リンクアクセス制御（ＬＡＣ：Ｌｉｎｋ  Ａｃｃｅｓｓ  Ｃｏｎｔｒｏｌ）副階層３２と媒体接続制御（ＭＡＣ：Ｍｅｄｉｕｍ  Ａｃｃｅｓｓ  Ｃｏｎｔｒｏｌ）副階層３１とに分けられる。リンク階層３０は、データ転送サービス用のプロトコル支援及び制御メカニズムを提供し、上位階層６０のデータ転送ニーズを、物理階層２１の特定能力及び特性にマッピングするのに必要な機能を行う。リンク階層３０は、上位階層６０及び物理階層２１間のインターフェースと見なされても良い。
【００４８】
ＭＡＣ  ３１及びＬＡＣ  ３２副階層の分離は、広範囲な上位階層６０サービスを支援するとの要求と、特に、１．２Ｋｂｐｓから２Ｍｂｐｓ以上の広い遂行範囲上で高い効率性と低い遅延のデータサービスを提供するとの要求に動機したものである。また、他の動機には、受容できるような遅延及び／またはデータＢＥＲ（Ｂｉｔ  Ｅｒｒｏｒ  Ｒａｔｅ）による制限のように、高いＱｏＳ（Ｑｕａｌｉｔｙ  ｏｆ  Ｓｅｒｖｉｃｅ）の回線及びパケットデータサービス支援の必要性、及び、異なるＱｏＳ要求を持つ向上したマルチメディアサービスの要求増加がある。
【００４９】
ＬＡＣ副階層３２は、点対点（ｐｏｉｎｔ−ｔｏ−ｐｏｉｎｔ）無線送信リンク４２上で信頼性あるインシーケンス（ｉｎ−ｓｅｑｕｅｎｃｅ）伝達送信制御機能を提供するために要求される。ＬＡＣ副階層３２は、上位階層６０エンティティ間に点対点通信チャネルを管理し、広い範囲の相異なる終端間（ｅｎｄ  ｔｏ  ｅｎｄ）に信頼性あるリンク階層３０プロトコルを支援するようにフレームワーク（ｆｒａｍｅｗｏｒｋ）を提供する。
【００５０】
ＬＡＣ副階層３２は、正確なシグナリングメッセージの伝達を提供する。その機能には、確認応答（Ａｃｋｎｏｗｌｅｄｇｅｍｅｎｔ）が要請される場合における保証された伝達、確認応答が要請されない場合における保証されていない伝達、重複メッセージ検出、個々のＭＳ  ２へのメッセージ伝達のためのアドレス制御、物理媒体上の転送のためにメッセージを適切なサイズの断片（ｆｒａｇｍｅｎｔｓ）に分割すること、受信されたメッセージの再組立て（ｒｅａｓｓｅｍｂｌｙ）及び検証（ｖａｌｉｄａｔｉｏｎ）及びグローバルチャレンジ認証が含まれる。
【００５１】
ＭＡＣ副階層３１は、それぞれの活性サービスに対してＱｏＳ管理性能を備えた３Ｇ無線システムの複合マルチメディア、マルチサービス性能を円滑にする。ＭＡＣ副階層３１は、無線システムで競争中の使用者間だけでなく、単一使用者からの多重サービス間のコンテンション制御を含む、物理階層２１へのパケットデータ及び回線データサービスのアクセスを制御するためのプロシージャを提供する。また、ＭＡＣ副階層３１は、論理チャネルと物理チャネル間のマッピングを行い、多数のソース（ｓｏｕｒｃｅ）からのデータを単一物理チャネルで多重化し、最善−努力レベルの信頼性のために無線リンクプロトコル（ＲＬＰ；Ｒａｄｉｏ  Ｌｉｎｋ  Ｐｒｏｔｏｃｏｌ）３３を用いて無線リンク階層（Ｒａｄｉｏ  Ｌｉｎｋ  Ｌａｙｅｒ）上で無理なく（ｒｅａｓｏｎａｂｌｙ）信頼性ある送信を提供する。シグナリング無線バーストプロトコル（ＳＲＢＰ：Ｓｉｇｎａｌｉｎｇ  Ｒａｄｉｏ  Ｂｕｒｓｔ  Ｐｒｏｔｏｃｏｌ）３５は、シグナリングメッセージのために無連結（ｃｏｎｎｅｃｔｉｏｎｌｅｓｓ）プロトコルを提供するエンティティである。多重化及びＱｏＳ制御３４は、競争サービスからの衝突する要請を仲裁し、アクセス要請の適切な優先順位を定めることによつて、交渉されたＱｏＳレベルの実行を担う。
【００５２】
物理階層２０は、無線で送信されるデータのコーディング及び変調を行う。物理階層２０は、上位階層からのデジタルデータを調節し、移動無線チャネル上に信頼性あるデータ送信が行われるようにする。
【００５３】
物理階層２０は、ＭＡＣ副階層３１が多重送信チャネル上で伝達する使用者データ及びシグナリングを物理チャネルにマッピングし、無線インターフェース上で情報を送信する。送信方向では、物理階層２１で行われる機能は、チャネルコーディング、インタリービング、スクランブリング、拡散及び変調を含む。受信方向では、送信されたデータを復旧するために受信機で上記の機能が逆に行われる。
【００５４】
図４は、呼プロセシングの概要を示す。呼プロセシングは、パイロット及び同期チャネルプロセシング、呼出チャネルプロセシング、アクセスチャネルプロセシング及びトラフィックチャネルプロセシングを含む。
【００５５】
パイロット及び同期チャネルプロセシングとは、ＭＳ  ２初期化状態（Ｉｎｉｔｉａｌｉｚａｔｉｏｎ  ｓｔａｔｅ）でパイロット及び同期チャネルを獲得し、ＣＤＭＡシステムと同期を合わせるＭＳ  ２プロセシングのことを指す。呼出チャネルプロセシングは、休止状態（Ｉｄｌｅ  ｓｔａｔｅ）でＢＳ  ６からオーバーヘッド及び端末に指示されたメッセージを受信すべく、ＭＳ  ２が順方向共通制御チャネル（Ｆｏｒｗａｒｄ  Ｃｏｍｍｏｎ  Ｃｏｎｔｒｏｌ  Ｃｈａｎｎｅｌ：Ｆ−ＣＣＣＨ）または呼出チャネルをモニタリングすることを指す。アクセスチャネルプロセシングは、ＭＳ  ２がシステムアクセス状態でアクセスチャネルまたは改善されたアクセスチャネル上でＢＳ  ６にメッセージを転送することを指す。この時、ＢＳ  ６は常にこのようなチャネルを聴取し、呼出チャネルまたはＦ−ＣＣＣＨのいずれかを用いてＭＳ  ２に応答する。トラフィックチャネルプロセシングは、ＭＳ  ２とＢＳ  ６が、トラフィックチャネル状態におけるＭＳ  ２制御において専用順方向及び逆方向トラフィックチャネルを用いて通信を行うことを指す。この専用順方向及び逆方向トラフィックチャネルは、音声、データのような使用者情報を伝達する。
【００５６】
図５は、ＭＳ  ２の初期化状態を示す図である。初期化状態は、システム決定副状態（Ｓｙｓｔｅｍ  Ｄｅｔｅｒｍｉｎａｔｉｏｎ  Ｓｕｂｓｔａｔｅ）、パイロットチャネル獲得（Ｐｉｌｏｔ  Ｃｈａｎｎｅｌ  Ａｃｑｕｉｓｉｔｉｏｎ）、同期チャネル獲得（Ｓｙｎｃ  Ｃｈａｎｎｅｌ  Ａｃｑｕｉｓｉｔｉｏｎ）、タイミング変更副状態（Ｔｉｍｉｎｇ  Ｃｈａｎｇｅ  Ｓｕｂｓｔａｔｅ）及び移動局休止状態（Ｍｏｂｉｌｅ  Ｓｔａｔｉｏｎ  Ｉｄｌｅ  Ｓｔａｔｅ）を含む
システム決定は、ＭＳ  ２がどのシステムからサービスを獲得するかを決定するプロセスである。このプロセスは、アナログ対デジタル、セルラー対ＰＣＳ及びＡ搬送波対Ｂ搬送波のような決定を含む。カスタム選択（ｃｕｓｔｏｍ  ｓｅｌｅｃｔｉｏｎ）プロセスは、システム決定を制御することができる。また、再指定プロセスを使用するサービス提供者も、システム決定を制御しても良い。ＭＳ  ２は、システムを決定した後に、サービス検出のためにシステム内のチャネルを決定しなければならない。一般的にＭＳ  ２は、チャネルを選択するために優先順位化したチャネルリスト（ｐｒｉｏｒｉｔｉｚｅｄ  ｃｈａｎｎｅｌ  ｌｉｓｔ）を使用する。
【００５７】
パイロットチャネルプロセシングは、ＭＳ  ２が使用可能なパイロット信号を検索することによってシステムタイミングに関連した情報を初めて得るプロセスである。パイロットチャネルは何ら情報も含んでいないが、ＭＳ  ２はパイロットチャネルと相関（ｃｏｒｒｅｌａｔｉｎｇ）することによって、自身のタイミングを整列する。このような相関が完了すると、ＭＳ  ２は同期チャネルと同期化され、同期チャネルメッセージを読み取ることによってそのタイミングをより正確にすることができる。ＭＳ  ２は失敗を宣言し、他のチャネルまたは他のシステムのうち一つを選択するためにシステム決定状態に戻る前に、単一パイロットチャネル上で１５秒まで検索することが許容される。この検索プロシージャでシステムを獲得する時間は具現状況によって異なり、規格化されていない。
【００５８】
ＣＤＭＡ２０００で単一チャネル上にＯＴＤパイロット、ＳＴＳパイロット及び補助（Ａｕｘｉｌｉａｒｙ）パイロットのような多数のパイロットチャネルが存在することができる。システム獲得中に、これらのパイロットチャネルが異なるウォルシュコードを使用するが、ＭＳ  ２は単にウォルシュコード０（Ｗａｌｓｈ  ０）しか検索しないからこれらのパイロットチャネルのいずれも探すことができない。
【００５９】
同期チャネルメッセージは同期チャネル上で持続して送信され、タイミングを正確にし、呼出チャネルを読み取るように情報をＭＳ  ２に提供する。端末は、ＢＳ  ６からの同期チャネルメッセージでＢＳ  ６と通信が行えるか否かを決定可能にする情報を受信する。
【００６０】
休止状態で、ＭＳ  ２は呼出チャネルのうち一つを受信し、該チャネル上のメッセージを処理する。オーバーヘッドまたは構成（ｃｏｎｆｉｇｕｒａｔｉｏｎ）メッセージは、保存されたシーケンス番号と比較され、ＭＳ  ２が最新のパラメータを持つようにする。ＭＳ  ２へのメッセージは、所望の加入者を決定するためにチェックされる。
【００６１】
ＢＳ  ６は、多重呼出チャネル及び／または多重ＣＤＭＡチャネル（周波数）を支援しても良い。ＭＳ  ２は、そのＩＭＳＩに基盤したハッシュ（ｈａｓｈ）関数を用いて休止状態でどのチャネル及び周波数をモニタリングするかを決定する。ＢＳ  ６は、同一ハッシュ関数を用いてＭＳ  ２を呼び出す時にどのチャネル及び周波数を使用するかを決定する。
【００６２】
呼出チャネル及びＦ−ＣＣＨ上でスロット周期インデックス（ＳＣＩ；Ｓｌｏｔ  Ｃｙｃｌｅ  Ｉｎｄｅｘ）の使用は、スロット化した呼出を支援する。スロット化した呼出の主目的は、ＭＳ  ２内のバッテリー電力を節約することにある。ＭＳ  ２をスロット化することに同意するＭＳ  ２とＢＳ  ６両者とも呼び出されるはずである。ＭＳ  ２は、割り当てられなかったスロット途中に自身のプロセシング回路に対する電力を減少させることとなる。一般的な呼出（Ｇｅｎｅｒａｌ  Ｐａｇｅ）メッセージまたは汎用呼出（Ｕｎｉｖｅｒｓａｌ  Ｐａｇｅ）メッセージのうち一つは、Ｆ−ＣＣＣＨ上で端末を呼び出すのに用いられることができる。ＭＳ  ２がＦ−ＰＣＨまたはＦ−ＣＣＣＨ上でスロット化した呼出のみを用いて可能な時間間隔よりも短い間隔で電源をつけるようにする速い（Ｑｕｉｃｋ）呼出チャネルもまた支援される。
【００６３】
図６は、システムアクセス状態を示す図である。システムアクセスプロセスでは、まず、初期電力レベル及び電力段階増加のように、ＭＳ  ２が正確なアクセスチャネルパラメータを使用することを保証するようにオーバーヘッド情報をアップデートする。ＭＳ  ２は、ＢＳ  ６または他のＭＳと調整（ｃｏｏｒｄｉｎａｔｉｏｎ）無しで無作為にアクセスチャネルを選択して送信する。このようなランダムアクセスプロシージャは衝突を招く恐れがある。このような衝突可能性を減らすために、スロット化した構造の使用、多重アクセスチャネルの使用、無作為開始時間での転送及び過負荷クラス（ｏｖｅｒｌｏａｄ  ｃｌａｓｓｅｓ）のような輻輳制御（ｃｏｎｇｅｓｔｉｏｎ  ｃｏｎｔｒｏｌ）の採用など複数の段階が取られることができる。
【００６４】
ＭＳ  ２は、アクセスチャネル上で要請または応答メッセージのいずれかを送信することができる。要請メッセージは、発信メッセージ（Ｏｒｉｇｉｎａｔｉｏｎ  ｍｅｓｓａｇｅ）のように自律的に送信されるメッセージである。応答メッセージは、ＢＳ  ６から受信したメッセージに応答して送られるメッセージである。例えば、呼出応答メッセージは、一般的な呼出（Ｇｅｎｅｒａｌ  ｐａｇｅ）メッセージまたは汎用メッセージ（Ｕｎｉｖｅｒｓａｌ  ｍｅｓｓａｇｅ）に対する応答である。
【００６５】
多重化及びＱｏＳ制御副階層３４は、送信機能及び受信機能をいずれも有している。送信機能は、データサービス６１、シグナリングサービス６３または音声サービス６２のような多様な資源（ｓｏｕｒｃｅ）からの情報を結合し、送信のために物理階層ＳＤＵ及びＰＤＣＨＣＦ  ＳＤＵを形成する。受信機能は、物理階層２１及びＰＤＣＨＣＦ  ＳＤＵに含まれた情報を分離し、データサービス６１、上位階層シグナリング６３または音声サービス６２のような正確なエンティティに情報を指定する。
【００６６】
多重化及びＱｏＳ制御副階層３４は、物理階層２１と時間同期化して作動する。物理階層２１が非ゼロ（ｎｏｎ−ｚｅｒｏ）フレームオフセットで送信するとしたら、多重化及びＱｏＳ制御副階層３４は、システム時間から適当なフレームオフセットで物理階層による送信のために物理階層ＳＤＵを伝達する。
【００６７】
多重化及びＱｏＳ制御副階層３４は、物理チャネル特定サービスインターフェースプリミティブセットを用いて物理階層２１に物理階層ＳＤＵを伝達する。物理階層２１は、物理チャネル特定受信表示（Ｒｅｃｅｉｖｅ  Ｉｎｄｉｃａｔｉｏｎ）サービスインターフェース駆動を用いて物理階層ＳＤＵを多重化及びＱｏＳ制御副階層３４に伝達する。
【００６８】
ＳＲＢＰ副階層３５は、同期チャネル、順方向共通制御チャネル、放送制御チャネル、呼出チャネル及びアクセスチャネルのプロシージャを含む。
【００６９】
ＬＡＣ副階層３２は、第３階層６０にサービスを提供する。ＳＤＵは、第３階層６０及びＬＡＣ副階層３２間で伝達される。ＬＡＣ副階層３２は、ＳＤＵをＬＡＣ  ＰＤＵに適切にカプセル化（ｅｎｃａｐｓｕｌａｔｉｏｎ）し、これは分離及び再組立てされてカプセル化したＰＤＵ断片としてＭＡＣ副階層３１に伝達される。
【００７０】
ＬＡＣ副階層３２におけるプロセシングは連続して行われ、プロセシングエンティティは、部分的に形成されたＬＡＣ  ＰＤＵを、よく設定された順番で互いに伝達する。ＳＤＵ及びＰＤＵは、上位階層が物理チャネルの無線特性をわかる必要なしで、機能的経路に沿ってプロセシングされて送信される。しかし、上位階層は物理チャネルの特性がわかり、第２階層３０が特定ＰＤＵの送信のために特定物理チャネルを使用するように指示しても良い。
【００７１】
１ｘＥＶ−ＤＯシステムは、パケットデータサービスに対して最適化されたサービスであり、データ専用またはデータ最適化（Ｄａｔａ  Ｏｎｌｙ  ｏｒ  Ｄａｔａ  Ｏｐｔｉｍｉｚｅｄ；ＤＯ）のための単一１．２５ＭＨｚ搬送波（“１ｘ”）で特徴付けられる。なお、順方向リンクでは２．４Ｍｂｐｓまたは３．０７２Ｍｂｐｓの瞬間最大（ｐｅａｋ）データ速度があり、逆方向リンクでは１５３．６Ｋｂｐｓまたは１．８４３２Ｍｂｐｓの瞬間最大データ速度がある。また、１ｘＥＶ−ＤＯシステムは、１ｘシステムとのインターネットワーキング（ｉｎｔｅｒｎｅｔｗｏｒｋｉｎｇ）及び別途の周波数帯域を提供する。図７は、１ｘシステム及び１ｘＥＶ−ＤＯシステム用のＣＤＭＡ２０００の比較を示す図である。
【００７２】
ＣＤＭＡ２０００では、音声及びデータが実際に最大データ速度６１４．４ｋｂｐｓ及び３０７．２ｋｂｐｓで同時転送されるサービスを提供する。ＭＳ  ２は、音声呼のためにＭＣＳ  ５と通信し、データ呼のためにＰＤＳＮ  １２と通信する。ＣＤＭＡ２０００システムは、ウォルシュコードで分離された順方向トラフィックチャネルとともに可変的電力の固定された速度で特徴付けられる。
【００７３】
１ｘＥＶ−ＤＯシステムにおいて最大データ速度は２．４Ｍｂｐｓまたは３．０７２Ｍｂｐｓであり、回線交換コアネットワーク７との通信はない。１ｘＥＶ−ＤＯシステムは、時分割多重化される単一順方向チャネルを有する固定された電力及び可変速度（ｖａｒｉａｂｌｅ  ｒａｔｅ）で特徴付けられる。
【００７４】
図８は、１ｘＥＶ−ＤＯシステム構造を示す。１ｘＥＶ−ＤＯシステムで、１フレームは、６００スロット／秒である１６個のスロットで構成され、２６．２７ｍｓまたは３２，７６８チップの期間を持つ。単一スロットは１．６６６７ｍｓ長であり、２０４８チップを有する。制御／トラフィックチャネルは、１スロットに１６００チップを有し、パイロットチャネルは１スロットに１９２チップを有し、ＭＡＣチャネルは１スロットに２５６チップを有する。１ｘＥＶ−ＤＯシステムは、より単純化及び高速化したチャネル推定及び時間同期化を促す。
【００７５】
図９は、１ｘＥＶ−ＤＯデフォルトプロトコル構造を示す。図１０は、１ｘＥＶ−ＤＯノンデフォルトプロトコル構造を示す。
【００７６】
１ｘＥＶ−ＤＯシステムでセッションと関連した情報は、ＭＳ  ２（または、アクセス端末（ＡＴ：Ａｃｃｅｓｓ  Ｔｅｒｍｉｎａｌ））とＢＳ  ６（または、アクセスネットワーク（ＡＮ：Ａｃｃｅｓｓ  Ｎｅｔｗｏｒｋ））が無線リンク上で使用するプロトコルセット、ユニキャストアクセス端末識別子（ＵＡＴＩ：Ｕｎｉｃａｓｔ  Ａｃｃｅｓｓ  Ｔｅｒｍｉｎａｌ  Ｉｄｅｎｔｉｆｉｅｒ）、無線リンク上でＡＴ及びＡＮにより用いられるプロトコル構造及び現在ＡＴ位置推定を含む。
【００７７】
アプリケーション階層は、最善努力（ｂｅｓｔ  ｅｆｆｏｒｔ）及び信頼できるような転送を提供し、この最善努力によってデータは１回送信され、上記信頼できるような転送のためにメッセージは１回以上再送信されることができる。ストリーム階層は１つのＡＴ  ２のために４（デフォルト）または２５５（ノンデフォルト）アプリケーションストリームまで多重化する能力を提供する。
【００７８】
セッション階層は、セッションが依然として有効であり、セッションの終了を管理することを保証し、初期ＵＡＴＩ割当に対するプロシージャを指定し、ＡＴアドレスを維持し、セッションの間に用いられたプロトコルとそれらのプロトコルに対する構成パラメータを交渉／提供する。
【００７９】
図１１は、１ｘＥＶ−ＤＯセッションの確立を示す。図１４に示すように、セッション確立（ｓｅｓｓｉｏｎｅ  ｓｔａｂｌｉｓｈｉｎｇ）は、アドレス構成、連結確立、セッション構成及びキー交換を含む。
【００８０】
アドレス構成は、ＵＡＴＩ及びサブネットマスクを割り当てるアドレス管理プロトコルを指す。連結確立は、無線リンクを設定する連結階層プロトコルを指す。セッション構成は、全てのプロトコルを構成するセッション構成プロトコルを指す。キー交換は、認証キーを設定する保安階層におけるキー交換プロトコルを指す。
【００８１】
“セッション（ｓｅｓｓｉｏｎ）”は、数時間（デフォルトとして５４時間）オープンされているＡＴ  ２とＲＮＣ間の論理的通信リンクを指す。なお、セッションは、ＰＰＰセッションが活性化されるまで維持される。セッション情報は、ＡＮ  ６内のＲＮＣにより制御されて維持される。
【００８２】
連結がオープンされた場合、ＡＴ  ２に順方向トラフィックチャネルが割り当てられることができ、逆方向トラフィックチャネル及び逆方向電力制御チャネルが割り当てられる。多重連結は、単一セッションの間に発生しても良い。
【００８３】
連結階層は、ネットワークの初期獲得及び通信を管理する。また、連結階層は、概略的なＡＴ  ２位置を維持し、ＡＴ  ２とＡＮ  ６間の無線リンクを管理する。また、連結階層は、管理を行い、セッション階層から受信した送信データに優先順位を付け且つカプセル化し、優先化されたデータを保安階層に伝達し、この保安階層から受信したデータをデカプセル化し、これをセッション階層に伝達する。
【００８４】
図１２は、連結階層プロトコルを示す図である。図１２に示すように、プロトコルは初期化状態、休止状態、連結状態を含む。
【００８５】
初期化状態で、ＡＴ  ２はＡＮ  ６を獲得し、初期化状態プロトコルを活性化する。休止状態で、クローズド連結は初期化され、休止状態プロトコルは活性化される。連結状態で、オープンされた連結は初期化され、連結状態プロトコルは活性化される。
【００８６】
クローズド連結は、ＡＴ  ２に任意の専用無線リンク資源が割り当てられず、ＡＴとＡＮ  ６間の通信がアクセスチャネルと制御チャネル上で行われる状態を指す。オープンされた連結は、ＡＴ  ２に順方向トラフィックチャネルが割り当てられることができ、逆方向制御チャネル及び逆方向トラフィックチャネルが割り当てられ、ＡＴ  ２とＡＮ  ６間の通信が制御チャネルだけでなく、これらの割り当てられたチャネル上で行われる。
【００８７】
初期化状態プロトコルは、ＡＮ  ６を獲得することと関連した動作（ａｃｔｉｏｎ）を行う。休止状態プロトコルは、ＡＮ  ６は獲得したが、ルートアップデートプロトコルを用いてＡＴ位置を追跡するというようなオープンされた連結は有しないＡＴ  ２と関連した動作を行う。連結状態プロトコルは、ＡＴ  ２とＡＮ  ６間の無線リンクを管理し、クローズド連結へ導くプロシージャを管理するというような、オープンされた連結を持つＡＴ  ２と関連した動作を行う。ルートアップデートプロトコルはＡＴ  ２の位置を追跡し、ＡＴ及びＡＮ  ６間の無線リンクを維持することと関連した動作を行う。オーバーヘッドメッセージプロトコルは、ＱｕｉｃｋＣｏｎｆｉｇ、ＳｅｃｔｏｒＰａｒａｍｅｔｅｒｓ及びＡｃｃｅｓｓＰａｒａｍｅｔｅｒｓメッセージのような必須パラメータを、制御チャネルを通じて放送する。パケット統合（Ｃｏｎｓｏｌｉｄａｔｏｎ）プロトコルは、受信機に関するパケット逆多重化（ｄｅ−ｍｕｌｔｉｐｌｅｘｔｉｎｇ）を提供する他、割り当てられた優先順位及びターゲットチャネルの機能として転送のためのパケットを統合し、優先順位化する。
【００８８】
保安階層は、キー交換機能、認証機能及び暗号化機能を含む。キー交換機能は、認証通話のためのＡＴ  ２とＡＮ  ６により行われるプロシージャを提供する。認証機能は、認証及び暗号化に使用される保安キーを交換するためにＡＴ  ２及びＡＮ  ６によって行われるプロシージャを提供する。暗号化機能は、トラフィックを暗号化するためにＡＴ  ２とＡＮ  ６間に行われるプロシージャを提供する。
【００８９】
１ｘＥＶ−ＤＯ順方向リンクは、電力制御とソフトハンドオフが支援されないことを特徴とする。ＡＮ  ６は一定の電力で送信し、ＡＴ  ２は順方向リンク上で可変速度を要請する。異なる使用者はＴＤＭで異なる時間に送信できるため、単一使用者のための異なるＢＳ  ６からのダイバーシティ送信は具現し難い。
【００９０】
ＭＡＣ階層で、上位階層から由来した２形態のメッセージ、詳細には使用者データメッセージ及びシグナリングメッセージは、物理階層を経て送信される。二つのプロトコルが２形態のメッセージをプロセシングするが、詳細には、使用者データメッセージ用順方向トラフィックチャネルＭＡＣプロトコルとシグナリングメッセージ用制御チャネルＭＡＣプロトコルがそれである。
【００９１】
物理階層は、１．２２８８Ｍｃｐｓ拡散速度を有し、、１フレームは１６スロット及び２６．６７ｍｓで構成され、１スロットは１．６７ｍｓ及び２０４８チップであることを特徴とする。順方向リンクチャネルは、パイロットチャネル、順方向トラフィックチャネルまたは制御チャネル及びＭＡＣチャネルを含む。
【００９２】
パイロットチャネルは、全ての情報ビットが“０”であり、１スロットが１９２チップからなるＷ０でウォルシュ−拡散されるという点で、ＣＤＭＡ２０００パイロットチャネルに似ている。
【００９３】
順方向トラフィックチャネルは、３８．４ｋｂｐｓ〜２．４５７６Ｍｂｐｓ、または、４．８ｋｂｐｓ〜３．０７２Ｍｂｐｓの範囲で可変するデータ速度で特徴付けられる。物理階層パケットは、１〜１６スロット内で送信されることができ、これらの送信スロットは、一つより多いスロットが割り当てられた場合に４−スロットインターレーシング（ｉｎｔｅｒｌａｃｉｎｇ）を使用する。割り当てられた全てのスロットが転送される前に、逆方向リンクＡＣＫチャネルを通じてＡＣＫが受信されると、残っているスロットは転送されない。
【００９４】
制御チャネルは、ＣＤＭＡ２０００における同期チャネル及び呼出チャネルに似ている。制御チャネルは、２５６スロットまたは４２７．５２ｍｓ期間、１０２４ビットまたは１２８，２５６，５１２及び１０２４ビットの物理階層パケット長、及び３８．４ｋｂｐｓまたは７６．８ｋｂｐｓまたは１９．２ｋｂｐｓ、３８．４ｋｂｐｓまたは７６．８ｋｂｐｓのデータ速度で特徴付けられる。
【００９５】
１ｘＥＶ−ＤＯ逆方向リンクは、ＡＮ  ６が逆方向電力制御を使用することによって逆方向リンクを制御し、一つより多いＡＮがソフトハンドオフを通じてＡＴ  ２の送信を受信することを特徴とする。また、ロングＰＮコードを使用するウォルシュコードによってチャネル化される逆方向リンクにはＴＤＭがない。
【００９６】
アクセスチャネルはＡＮ  ６との通信を初期化するために、またはＡＴ指定されたメッセージに応答するためにＡＴ  ２により使われる。これらのアクセスチャネルは、パイロットチャネル及びデータチャネルを含む。
【００９７】
ＡＴ  ２は、応答がＡＮ  ６から受信されたりタイマーが満了するまで、アクセスチャネル上に一連のアクセスプローブを送信する。アクセスプローブは、プリアンブル及び一つ以上のアクセスチャネル物理階層パケットを含む。アクセスチャネルの基本データ速度は、９．６ｋｂｐｓで、最大データ速度１９．２ｋｂｐｓ及び３８．４ｋｂｐｓが可能である。
【００９８】
一つより多いＡＴ  ２が同一制御チャネルパケットを用いて呼び出される時、アクセスプローブは同一時間に送信されることができ、よってパケット衝突が生じることができる。ＡＴ  ２が同一の位置におり（ｃｏ−ｌｏｃａｔｅｄ）、グループ呼内にあったり同一の電波遅延を有する時には問題がより深刻となり得る。
【００９９】
多重入力・多重出力（ＭＩＭＯ）は、改善された性能のために送信機と受信機に多重アンテナを使用することを指す。２個の送信機及び２個以上の受信機を使用する場合、例えば、２個のデータストリームが共に送信されることができ、これによってデータ速度が２倍になり得る。
【０１００】
ＭＩＭＯで、２個の動作モードは送信機が、チャネル状態情報（ｃｈａｎｎｅｌ  ｓｔａｔｕｓ  ｉｎｆｏｒｍａｔｉｏｎ）を使用できる否かによって決定されることができる（すなわち、開ループ及び閉ループ動作）。開ループ動作でチャネル情報は使用されない。動作の単純さにもかかわらず、チャネル状態情報の不足によって、開ループ動作は性能損失を招くことができる。
【０１０１】
開ループ動作と違い、閉ループ動作では、部分的または全体のチャネル状態情報が使用されることができる。
【０１０２】
ＭＩＭＯ送信の動作はたびたび全ての関連したアンテナからオーバーヘッド送信を要求する。その結果、資源（例えば、電力）は浪費されることができ、他の使用者による干渉によって処理率は影響を受けることができる。
【０１０３】
ＭＩＭＯシステムにおける開ループ及び閉ループ動作の両方において性能を改善するために、オーバーヘッドの送信が変更されることができる。言い換えると、オーバーヘッド（例えば、プリアンブル、媒体接続制御（ＭＡＣ）及び／または１ｘＥＶ−ＤＯにおけるパイロット）の送信が減少されることができる。したがって、処理率増加に影響を及ぼす干渉が減少されるだけでなく、送信電力はより効果的で效率的に使われることができる。
【０１０４】
図１３は、多重アンテナ送信構造の例示図である。より詳細には、図１３は、アンテナ選択を有する送信ダイバーシティの構造を示す。図１３を参照すると、データストリームは、受信側から提供されたフィードバック情報に基づいてエンコーディングされる。より詳細には、フィードバック情報に基づき、データは送信端で適応変調及びコーディング（ＡＭＣ；ａｄａｐｔｉｖｅ  ｍｏｄｕｌａｔｉｏｎ  ａｎｄ  ｃｏｄｉｎｇ）方式によってプロセシングされる。ＡＭＣ方式によってプロセシングされたデータはチャネルコーディングされ、インタリービングされ、以降、（コーディングまたは変調されたデータストリームとも呼ばれる）シンボルに変調される。
【０１０５】
その後、シンボルは、多重ＳＴＣエンコーダブロックに逆多重化（ｄｅｍｕｌｔｉｐｌｅｘｉｎｇ）される。ここで、逆多重化は、搬送波が支援可能なコード速度及び変調に基づく。各ＳＴＣエンコーダブロックは、シンボルをエンコーディングし、エンコーディングされたシンボルを、（複数の）逆高速フーリエ変換（ＩＦＦＴ；ｉｎｖｅｒｓｅ  ｆａｓｔ  Ｆｏｕｒｉｅｒ  ｔｒａｎｓｆｏｒｍ）ブロックに出力する。ＩＦＦＴブロックは、エンコーディングされたシンボルを変換させる。その後、変換されたシンボルは、受信端へと送信すべく、（複数の）アンテナ選択器により選択されたアンテナに割り当てられる。送信に使われるアンテナの選択は、フィードバック情報に基づけば良い。
【０１０６】
図１４は、アンテナ選択と結合した送信ダイバーシティを示す他の例示図である。単一コードワード（ＳＷＣ；ｓｉｎｇｌｅ  ｃｏｄｅｗｏｒｄ）動作のために設計された図１３と違い、適応変調及びコーディングはキャリアごとに行われ、多重コードワード（ＭＷＣ；ｍｕｌｔｉｐｌｅ  ｃｏｄｅｗｏｒｄ）動作のために設計される。
【０１０７】
図１３及び１４によると、データは、（複数の）ＩＦＦＴブロックによりプロセシングされる前にＳＴＣエンコーダによりプロセシングされる。しかし、データがＳＴＣエンコーダブロックによりプロセシングされる前にＩＦＦＴブロックによりプロセシングされても良い。要するに、ＳＴＣエンコーダとＩＦＦＴブロックのプロセシング順序は互いに変わっても良い。
【０１０８】
具体的には、受信端からのフィードバック情報は、データストリームに対してチャネルコーディング及び変調を行う（またはＡＭＣ方式を実行する）のに使われることができる。このＡＭＣ方式プロセスは、点線のボックスで示されている。チャネルコーディング及び変調に使われたフィードバック情報は、例えば、データ速度制御（ＤＲＣ；ｄａｔａ  ｒａｔｅ  ｃｏｎｔｒｏｌ）またはチャネル品質指示子（ＣＱＩ；ｃｈａｎｎｅｌ  ｑｕａｌｉｔｙ  ｉｎｄｉｃａｔｏｒ）でありうる。また、フィードバック情報は、セクターＩＤ、キャリア／周波数インデックス、アンテナインデックス、支援可能なＣＱＩ値、最善のアンテナ組合せ、選択されたアンテナ、及び所定の割り当てられたマルチキャリアに対して支援可能な信号対干渉雑音比（ＳＩＮＲ；ｓｉｇｎａｌ−ｔｏ−ｉｎｔｅｒｆｅｒｅｎｃｅ  ｎｏｉｓｅ  ｒａｔｉｏ）を含むことができる。
【０１０９】
選択されたアンテナの支援可能ＳＩＮＲだけでなく、選択されたアンテナに関連した情報が受信端から送信端へのチャネル（例えば逆方向リンク）または異なるチャネルを通じて送信されることができる。このようなチャネルは物理チャネルまたは論理チャネルでありうる。また、選択されたアンテナに関する情報は、ビットマップの形式で送信されることができる。各ビットマップの位置は、アンテナインデックスを表す。
【０１１０】
例えば、ＤＲＣまたはＣＱＩは、送信アンテナごとに測定されることができる。ＣＱＩの例として、送信端は、信号が送信されるチャネルの品質を決定するように受信端に信号（例えば、パイロット）を送信することができる。各アンテナは、自身のパイロットを受信端に送信し、アンテナ構成要素から受信端へのチャネル情報を抽出するようにする。送信端は、アクセスノード、基地局、ネットワーク、またはノードＢと称されても良い。また、受信端は、アクセス端末機、移動端末、移動局、または移動端末局と称されても良い。送信端からの信号に応答して、受信端は、信号が送信されるチャネルのチャネル状態またはチャネル条件を提供するように送信端にＣＱＩを送信することができる。
【０１１１】
また、フィードバック情報（例えば、ＤＲＣまたはＣＱＩ）は、事前検出（ｐｒｅ−ｄｅｔｅｃｔｉｏｎ）方式または事後検出（ｐｏｓｔ−ｄｅｔｅｃｔｉｏｎ）方式を用いて測定されることができる。事前検出方式は、直交周波数分割多重化（ＯＦＤＭ）ブロック前に時分割多重化（ＴＤＭ）を用いてアンテナ−特定周知パイロットシーケンスを挿入することを含む。事後検出方式は、ＯＦＤＭ送信においてアンテナ−特定周知パイロットパターンを使用することを含む。
【０１１２】
また、フィードバック情報は、各帯域幅に基づく。言い換えると、フィードバック情報は、Ｎ個の１．２５ＭＨｚ、５ＭＨｚ、またはＯＦＤＭ帯域幅の副帯域のそれぞれに対するチャネル状態情報を含む。
【０１１３】
上述のように、ＡＭＣ方式を用いてプロセシングしたシンボルは、多重ＳＴＣエンコーダブロックに逆多重化される。ＳＴＣエンコーダブロックは様々な形態のコーディング技術を具現できる。例えば、エンコーダブロックは、ＳＴＣエンコーダでありうる。各ＳＴＣエンコーダは、ＭＨｚを基本単位とする。実際に、図１６では、ＳＴＣエンコーダは１．２５ＭＨｚに適用される。他の形態のコーディング技術は、空間−時間ブロックコード（ＳＴＢＣ；ｓｐａｃｅ−ｔｉｍｅ  ｂｌｏｃｋ  ｃｏｄｅ）、非直交（ｎｏｎ−ｏｒｔｈｏｇｏｎａｌ）ＳＴＢＣ（ＮＯ−ＳＴＢＣ）、空間−時間トレリスコーディング（ＳＴＴＣ；ｓｐａｃｅ−ｔｉｍｅ  Ｔｒｅｌｌｉｓ  ｃｏｄｉｎｇ）、空間−周波数ブロックコード（ＳＦＢＣ）、空間−時間周波数ブロックコード（ＳＴＦＢＣ）、循環シフトダイバーシティ、循環遅延ダイバーシティ（ＣＤＤ）、Ａｌａｍｏｕｔｉ、及びプリコーディングを含む。
【０１１４】
上述したように、ＩＦＦＴ変換されたシンボルは、フィードバック情報に基づいてアンテナ選択器によって（複数の）特定アンテナに割り当てられる。すなわち、図１６では、アンテナ選択器は、フィードバック情報で指定されたＳＴＣエンコーダからの２個の出力に対応するアンテナ対を選択する。
【０１１５】
アンテナ選択器は、特定シンボルを送信するためにアンテナを選択する。同時に、アンテナ選択器は、シンボルが送信される搬送波（または、周波数帯域幅）を選択できる。周波数選択だけでなくアンテナ選択は、各動作の帯域幅ごとに提供されるフィードバック情報に基づく。また、アンテナ及び周波数割当が行われる無線システムは、多重入力・多重出力（ＭＩＭＯ）システムでありうる。
【０１１６】
多重アンテナを持つＭＩＭＯシステムで、データを送信するためのアンテナは、（複数の）１次アンテナ（ｐｒｉｍａｒｙ  ａｎｔｅｎｎａ（ｓ））と（複数の）２次アンテナ（ｓｅｃｏｎｄａｒｙ  ａｎｔｅｎｎａ（ｓ））とに区分されることができる。（複数の）１次アンテナは送信と関連したアンテナのうち、最善受信品質を提供するアンテナまたは最小インデックスを持つアンテナによって定義されることができる。
【０１１７】
図１５は、オーバーヘッド減少送信を示す例示図である。ここに、（１次アンテナとも呼ばれる）単一アンテナがオーバーヘッド情報を伝達するのに使われる。上述したように、１次アンテナは基準に基づいて選択されることができる。すなわち、最善チャネル条件を持つアンテナまたは最小インデックスを持つアンテナが１次アンテナとして選択されることができる。
【０１１８】
１次アンテナは、プリアンブルを伝達（または送信）するのに使われることができる。プリアンブルは、データパケットに関する情報を含むことができる。また、１次アンテナは、パイロット及び媒体接続制御（ＭＡＣ）を含むことのできるオーバーヘッド情報を伝達するのに使われることができる。さらに、１次アンテナはコード分割多重化（ＣＤＭ）データ及びＯＦＤＭデータを含むデータを送信するのに使われることができる。また、プリアンブルの任意の再送信は１次アンテナを通じて送信されることができる。
【０１１９】
１次アンテナとして選択されなかったり最善でないチャネル条件及び／または最小でないインデックスを持つアンテナは、２次アンテナとして選択されることができる。２次アンテナは、ただデータ（例えば、ＣＤＭデータ及びＯＦＤＭデータ）のみを送信するのに使われることができる。１次アンテナとは違い、２次アンテナは、プリアンブルやオーバーヘッド情報を送信しない。オーバーヘッド情報は、レガシーアクセス端末機（ＡＴｓ）及び／または新しいＡＴを支援するために１次アンテナを通じて送信される。ここで、レガシーＡＴを支援することはＣＤＭデータを送信することを指し、新しいＡＴを支援することはＯＦＤＭデータを送信することを指すことができる。
【０１２０】
プリアンブル（例えば、レガシープリアンブル）及びレガシーデータ（例えば、ＣＤＭデータ）の送信は大体、サブスロット（または１／４スロット）で発生する。サブスロットは大体４００チップの期間を有し、たびたび４００チップの一部はプリアンブルが占め、４００チップの残りの部分はデータが占める。
【０１２１】
図１５を参照すると、アンテナ‘０’及びアンテナ‘２’は、搬送波０及び１上のデータを送信するために選択される。また、アンテナ‘０’及びアンテナ‘１’は、搬送波２上のデータを送信するために選択され、アンテナ‘１’及びアンテナ‘２’は、搬送波３上のデータを送信するために選択される。したがって、アンテナ‘０’は搬送波０、１及び２のための１次アンテナで、アンテナ‘１’は搬送波３のための１次アンテナである。
【０１２２】
上述したように、１次アンテナの選択は、受信品質に基づくことができる。すなわち、１次アンテナは最善受信品質を提供するアンテナと定義されることができる。また、１次アンテナの選択は、一つより多いアンテナ選択−基盤送信、空間多重化及び送信ダイバーシティ−基盤送信などと関連したアンテナのうち、最小インデックスに基づいても良い。
【０１２３】
プリアンブルは、一つのアンテナまたは多重アンテナを通じて搬送波上で送信されることができる。より詳細には、図１５で、プリアンブルは、基本送信ユニットの始部（ｆｉｒｓｔ  ｐｏｒｔｉｏｎ）を用いて送信される。例えば、１ｘＥＶ−ＤＯで、基本ユニットは１．６６７ｍｓの期間を持つスロットであり、始部は４００チップの期間（各チップの期間は１／１．２２８８μｓ）を持つ１／４スロットである。プリアンブル送信は１／４スロット部を用いて発生する。
【０１２４】
図１５で、ブロック＃０、＃１及び＃２からのプリアンブルは、（ｆ０、ｆ１及びｆ２とも呼ばれる）搬送波０、１及び２上で送信される。また、ブロック＃３からのプリアンブルは、（ｆ３とも呼ばれる）搬送波３上で送信される。アンテナ‘０’は、搬送波０、１及び２のための１次アンテナで、アンテナ‘１’は搬送波３のための１次アンテナであるから、これによってプリアンブルは個別スロットの始部を用いて送信される。また、プリアンブルの再送信は、ただ（複数の）１次アンテナのみを通じてのみ行われる。
【０１２５】
プリアンブル及びＣＤＭデータを１／４スロット（またはサブスロット）を用いて送信することの他に、プリアンブルは、直交周波数分割多重化（ＯＦＤＭ）データと一緒に送信されても良い。上述したように、図１５は、１／４スロットを通じてプリアンブル＋ＣＤＭデータを送信することを仮定する例示的な送信を示す。
【０１２６】
図１５の実施の形態によれば、オーバーヘッド情報の（複数の）送信及び／または（複数の）再送信は、１次アンテナのみを用いて送信される。オーバーヘッドは、１ｘＥＶ−ＤＯの場合、使用者ＩＤ（ｉｄｅｎｔｉｔｙ）またはチャネルタイプ（例えば、データまたは制御チャネル）のためのプリアンブル、媒体接続制御（ＭＡＣ）及びパイロットを含む。さらに、パイロット及び媒体接続制御（ＭＡＣ）を含むオーバーヘッドは、レガシーアクセス端末機（ＡＴｓ）及び／または新しいＡＴを支援するために１次アンテナを通じて作られても良い。
【０１２７】
図１６に示すように、データは、１次及び２次アンテナの両方を通じて送信されることができる。ここで、データ送信アンテナ−特定パイロット信号は、新しいＡＴが各アンテナからチャネルを推定するのを助けるように送信されることができる。
【０１２８】
図１６は、プリアンブル及びＯＦＤＭデータ送信に関する例示図である。より詳細には、図１６は、１／４送信スロットを用いてプリアンブル及びＯＦＤＭデータを送信することを示す。
【０１２９】
上述したように、１次アンテナ及び２次アンテナは、チャネル条件及び／またはインデックスの大きさに基づいて選択されることができる。多重アンテナ状況では一つより多い２次アンテナを持つことが可能である。
【０１３０】
図１６を参照すると、パイロット及びＭＡＣを含むオーバーヘッドの送信は、後方互換性支援（ｂａｃｋｗａｒｄ  ｃｏｍｐａｔｉｂｉｌｉｔｙ  ｓｕｐｐｏｒｔ）のためにアンテナ‘０’によって行われる。しかし、後方互換性が無視されうるかそれ以上問題にならない場合には、ただプリアンブルのみが固定される、及び／または、固定されたアンテナ（例えば、アンテナ‘０’）によって送信されることができる。なお、後方互換性もそれ以上問題にならない場合には、プリアンブルは最善チャネル条件を持つ各搬送波によって送信されるとができる。しかし、条件に基づくシグナリング問題がありうるので、改善された信頼度のために送信用アンテナを固定したり選択することがより好ましい。
【０１３１】
プリアンブルは、いくつかの割り当てられた（複数の）副搬送波を用いて送信されるとした。図１６で、１次及び２次アンテナの両方ともプリアンブルを送信するのに使われることができるが、ＭＡＣ及びパイロットは１次アンテナのみを用いて送信される。
【０１３２】
上述したように、プリアンブルは、ただ１つのアンテナによってのみ送信されることができる。例えば、１次アンテナ（例えば、アンテナ‘０’）は、プリアンブルを送信するのに使われることができる。言い換えると、アンテナ‘０’は搬送波０、１、２及び３上でデータを送信するために選択されることができる。したがって、アンテナ‘０’は１次アンテナと見なされる。
【０１３３】
また、プリアンブルは、多重アンテナによって送信されることができる。例えば、図１６は、プリアンブルが３個のアンテナの全てによって送信されることを示す。すなわち、プリアンブルは、１次アンテナだけでなく２次アンテナを通じても送信される。
【０１３４】
搬送波０のため、アンテナ０及び２が選択される。このように、アンテナ‘０’は、１次アンテナで、アンテナ‘２’は２次アンテナである。
【０１３５】
プリアンブルがただ１つのアンテナのみから／によって送信される状況と違い、プリアンブルは１次アンテナを通じてのみ送信され再送信される。プリアンブルが多重アンテナから／によって送信される状況で、プリアンブルはただ１次アンテナによってのみ送信されることに限定されず、２次アンテナも使用されることができる。
【０１３６】
要するに、図１６のプリアンブルは１次アンテナ（例えば、アンテナ‘０’及びアンテナ‘１’）を通じて送信される。しかし、プリアンブルが多重アンテナによって送信されると、図１６に示すように、１次及び２次アンテナ両方ともプリアンブルを送信するのに使われることができる。
【０１３７】
図１７は、プリアンブル及びＯＦＤＭデータの送信を示す他の例示図である。ここで、基本帯域幅は全体として割り当てられる。すなわち、図１５とは違い、多重の基本単位の帯域幅（すなわち、１．２５ＭＨｚ）が全体として割り当てられる。言い換えると、搬送波（または帯域）間の（複数の）間隔（ｇａｐ）が除去され、ＯＦＤＭデータの一部分として使われることができる。また、オーバーヘッド送信（例えば、パイロット及びＭＡＣ）は搬送波間の間隔が除去されるように結合されることができる。
【０１３８】
本発明の精神または範囲を逸脱しない限度内で本発明の多様な変形と変更が可能であるということは、当業者にとっては明らかである。すなわち、添付の特許請求の範囲とその均等範囲内における変形及び変更も本発明の範囲に含まれることができる。
【図面の簡単な説明】
【０１３９】
【図１】無線通信ネットワーク構造を示す図である。
【図２Ａ】ＣＤＭＡ拡散及び逆拡散プロセスを示す図である。
【図２Ｂ】多重拡散シーケンスを用いるＣＤＭＡ拡散及び逆拡散プロセスを示す図である。
【図３】ＣＤＭＡ２０００無線ネットワーク用データリンクプロトコル構造階層を示す図である。
【図４】ＣＤＭＡ２０００呼プロセシングを示す図である。
【図５】ＣＤＭＡ２０００初期化状態を示す図である。
【図６】ＣＤＭＡ２０００システムアクセス状態を示す図である。
【図７】１ｘシステム及び１ｘＥＶ−ＤＯシステム用のＣＤＭＡ２０００の比較を示す図である。
【図８】１ｘＥＶ−ＤＯシステム構造を示す図である。
【図９】１ｘＥＶ−ＤＯデフォルトプロトコル構造を示す図である。
【図１０】１ｘＥＶ−ＤＯノンデフォルトプロトコル構造を示す図である。
【図１１】１ｘＥＶ−ＤＯセッション確立を示す図である。
【図１２】１ｘＥＶ−ＤＯ連結階層プロトコルを示す図である。
【図１３】多重アンテナ送信構造の例示図である。
【図１４】アンテナ選択と結合された送信ダイバーシティを示す他の例示図である。
【図１５】オーバーヘッド減少送信を示す例示図である。
【図１６】プリアンブル及びＯＦＤＭデータの送信を示す例示図である。
【図１７】プリアンブル及びＯＦＤＭデータの送信を示す他の例示図である。
【図１】
2009533892.tif 000003
【図２Ａ】
2009533892.tif 000004
【図２Ｂ】
2009533892.tif 000005
【図３】
2009533892.tif 000006
【図４】
2009533892.tif 000007
【図５】
2009533892.tif 000008
【図６】
2009533892.tif 000009
【図７】
2009533892.tif 000010
【図８】
2009533892.tif 000011
【図９】
2009533892.tif 000012
【図１０】
2009533892.tif 000013
【図１１】
2009533892.tif 000014
【図１２】
2009533892.tif 000015
【図１３】
2009533892.tif 000016
【図１４】
2009533892.tif 000017
【図１５】
2009533892.tif 000018
【図１６】
2009533892.tif 000019
【図１７】
2009533892.tif 000020